(57)【特許請求の範囲】
【請求項１】
相対的に直線方向に振動する第１及び第２の部材間に、その相対振動を抑制するために介設される制振装置であって、前記振動に伴って相対変位可能に互いに係合され、何れか一方が前記第１の部材に、他方が前記第２の部材に夫々結合される第１及び第２の支持部材と、磁気摩擦部材を保持するために、前記第１又は第 ２の支持部材の一方に設けられた保持部と、他方の前記支持部材の磁気吸着面に吸着できるように前記保持部に移動自在に保持された磁気摩擦部材とを具備し、前記磁気吸着面に強磁性部分と弱磁性部分とが設けられ、前記磁気摩擦部材と磁気吸着面との相対変位に伴い、磁気摩擦部材の磁気吸着面に対する吸着力が変化することを特徴とする磁気摩擦式制振装置。
【請求項２】
前記第１又は第２の支持部材の一方がケースを備え、他方の支持部材がこのケースに出入り自在に挿入されていることを特徴とする請求項１に記載の磁気摩擦式制振装置。
【請求項３】
前記ケースが前記保持部を備え、前記他方の支持部材が磁気吸着面を備え、前記磁気摩擦部材が、この磁気吸着面に吸着できるように磁気吸着面に直角方向に移動自在に前記保持部に保持されていることを特徴とする請求項２に記載の磁気摩擦式制振装置。
【請求項４】
前記ケースが前記保持部としての開口を備え、前記他方の支持部材がこの開口に対応する磁気吸着面を備え、前記磁気摩擦部材が、この磁気吸着面に吸着できるように磁気吸着面に直角方向に移動自在に開口内に嵌合されていることを特徴とする請求項２に記載の磁気摩擦式制振装置。
【請求項５】
前記ケースが、対向側壁に前記保持部としての開口を備えると共に、これら対向側壁に直交する一方向が開放した矩形の箱体から成り、前記他方の支持部材が、ケースの開放部からケース内に出入り自在に挿入された板状部を備え、この板状部の両側に、前記開口に対向する前記磁気吸着面を備え、前記磁気摩擦部材が、この磁気吸着面に吸着できるように磁気吸着面に直角方向に移動自在に開口内に嵌合されていることを特徴とする請求項２ないし４の何れかに記載の磁気摩擦式制振装置。
【請求項６】
前記ケースが、一端側に開放した円筒体から成り、このケースの内周側に前記磁気吸着面を有する磁気吸着板が設けられ、前記他方の支持部材の一端側が、前記開放部からケース内に軸線方向出入り自在に挿入され、かつケース内に位置して前記保持部を備え、前記磁気摩擦部材が、前記磁気吸着面に吸着できるように保持部に半径方向移動自在に保持されていることを特徴とする請求項２に記載の磁気摩擦式制振装置。
【請求項７】
相対的に直線方向に振動する第１及び第２の部材間に、その相対振動を抑制するために介設される制振装置であって、
前記振動に伴って相対変位可能に互いに係合され、何れか一方が前記第１の部材に、他方が前記第２の部材に夫々結合される第１及び第２の支持部材を具備し、
前記第１又は第２の支持部材の一方が一端側に開放した円筒体から成るケースを備え、かつこのケースの内側に、ケースの内周に沿った磁気吸着板を具備し、
前記他方の支持部材の一端側が、前記ケースに軸線方向出入り自在に挿入され、かつ前記ケース内の前記磁気吸着板の内側に位置して磁気摩擦部材の保持部を備え、
磁気摩擦部材が、半径方向外側に位置する前記磁気吸着板に吸着できるように前記他方の支持部材の保持部に保持されていることを特徴とする磁気摩擦式制振装置。
【発明の詳細な説明】
【０００１】
【発明の属する技術分野】
本発明は、２つの部材間の振動を抑制するために、両部材間に介設される制振装置であって、磁気摩擦力により振動抑制作用を行う磁気摩擦式の制振装置に係るものである。
【０００２】
【従来の技術】
従来、制振装置として、油圧式のもの、あるいは機械式のものが各種提案されているが、磁気摩擦を用いたものは見出せない。
【０００３】
【発明が解決しようとする課題】
従って、本発明は、磁気摩擦を用いたコンパクトな制振装置であって、振動に伴う変位の量に応じ制動力を比較的容易に、所望のとおりに変化させることができる磁気摩擦式の制振装置を提供することを目的としている。
【０００４】
【課題を解決するための手段】
本発明においては、上記課題を解決するため、相対的に直線方向に振動する第１及び第２の部材Ａ，Ｂ間に、その相対振動を抑制するために介設される制振装置において、第１及び第２の支持部材２，１２，３，１３の何れか一方を第１の部材Ａに、他方を第２の部材Ｂに夫々結合し、両者を振動に伴って相対変位可能に互いに係合し、第１又は第２の支持部材２，１２，３，１３の一方に磁気摩擦部材７，１７を保持するための保持部２ｂ，１５を設け、この保持部２ｂ，１５には、支持部材３，１２の磁気吸着板４，１４に吸着できるように、移動自在に磁気摩擦部材７，１７を保持して磁気摩擦式制振装置１，１１を構成した。また、支持部材３，１２の磁気吸着板４，１４に強磁性部分と弱磁性部分とを設け、磁気摩擦部材７，１７と磁気吸着板４，１４との相対変位に伴い、磁気摩擦部材７，１７の磁気吸着面に対する吸着力、即ち振動抑制力を変化させるようにした。
【０００５】
【発明の実施の形態】
図面を参照して本発明の実施の形態を説明する。図１は制振装置の正面図、図２は図１におけるII−II断面図、図３は制振装置の分解斜視図、図４は他の実施形態の制振装置の断面図、図５は図４におけるV−V断面図、図６は保持部と磁気摩擦部材の分解斜視図である。
【０００６】
本発明に係る制振装置１は、例えば、建屋ような構築物とその中に設置された機器との間、その他、相対的に振動する第１及び第２の部材Ａ，Ｂ間に、その直線方向の相対振動を抑制するために介設される。
【０００７】
制振装置１は、磁気摩擦式のもので、第１の支持部材である下方のケース２と、第２の支持部材である上方の挿入体３とを具備し、ケース２の下端の引き手２ａが第１の部材Ａに自在結合され、また挿入体３の上端の引き手３ａが第２の部材Ｂに自在結合されている。
【０００８】
ケース２は扁平な箱型で、上方に開放しており、その内側に板状の挿入体３の下部が上下方向に出入り自在に挿入されている。ケース２は、磁気摩擦部材７を保持するための保持部として開口２ｂを備えている。即ち、ケース２は、相対向する側壁に夫々相対向するように形成された３つの矩形の開口２ｂを有し、各開口２ｂの下方に、上下方向に伸びる長孔２ｃを有する。開口２ｂと長孔２ｃは夫々単数であっても複数であっても良い。図示の実施形態において、開口２ｂは水平方向に等間隔に並んでおり、長孔２ｃは、開口２ｂの垂直方向の中央線に沿って上下に伸びている。
【０００９】
挿入体３は、強磁性体から成るほぼ矩形の基板３ｂの両面に、磁気吸着板４を取り付けて成る。磁気吸着板４の表面に磁気吸着面が形成される。磁気吸着板４は、夫々ほぼ矩形で、ケース２の開口２ｂに対応するように水平方向に並んで垂直方向に伸びるように取り付けられている。磁気吸着板４は、強磁性体から成る矩形の薄板４ａの裏面に上下に分かれた２枚の強磁性体板４ｂ，４ｂを固着して成る。上下の強磁性体板４ｂ，４ｂ間には間隔が置かれ、また夫々下方又は上方に向かってその表面積が縮小するように、斜めに切り欠かれている。従って、挿入体３に形成される磁気吸着面には、強磁性体板４ｂに重なる強磁性部分と、強磁性体板４ｂから外れた弱磁性部分とが形成される。その分布は、強磁性体板４ｂの形状に従って、上下方向に変化している。磁気吸着板４は、中央においてピン５で回転自在に基板３ｂに支持され、上下の円弧状の孔４ｃを通して基板３ｂに螺合されたボルト６により、適当な回転角度位置で固定される。ボルト６の頭部は、ケース２の長孔２ｃ内において上下に移動することができる。
【００１０】
ケース２の開口２ｂには、挿入体３の磁気吸着面に吸着する磁気摩擦部材７が、側壁に直交する方向に移動自在に嵌合されている。磁気摩擦部材７は、矩形の磁性板７ａと磁石板７ｂとを交互に重合固定して成る。磁性板７ａは、磁石板７ｂよりやや大きく、端縁が磁石板７ｂの端から突出しており、磁石板７ｂが直接挿入体３の磁気吸着面に接触しないようになっている。
【００１１】
しかして、第１の部材Ａと第２の部材Ｂとの間に、互いに接近、離反する方向の振動が生じるときには、挿入体３がケース２に対して相対的に上下動するが、磁気摩擦部材７が挿入体３の磁気吸着面に吸着しているので、両者間に摩擦抵抗が生じ、振動エネルギが熱に変換されて減衰されることになる。なお、強磁性体板４ｂの面積が上下方向に変化しているので、挿入体３の磁気吸着面に対する磁気摩擦部材７の吸着力は、上下方向の相対変位によって変化する。この変化率は、基板３ｂに対する磁気吸着板４の固定角度を変更することによって変更することができる。制振対象の性質により、適宜この変化率を設定する。さらに、強磁性体板４ｂのテーパ部の形状を変更すれば、所望の変化率に設定できる。
【００１２】
図５に示す本発明の他の実施形態においては、第１の支持部材であるケース１２が、一端側に開放した円筒体から成り、閉塞した他端側に引き手１２ａを備えている。このケース１２の内周には、磁気吸着面を提供する磁気吸着板１４が固着されている。磁気吸着板１４は、先の実施形態におけると同様に、相対的に磁性の強い部分と弱い部分とを形成することができる。
【００１３】
第２の支持部材であるロッド状の挿入体１３の一端側は、開放部からケース１２内に軸線方向出入り自在に挿入されている。挿入体１３は、ケース１２内に位置して、磁気摩擦部材１７を保持するための保持部１５を備えている。
【００１４】
磁気摩擦部材１７は、ケース１２の内周の磁気吸着面に吸着できるように、保持部１５に半径方向に移動自在に保持されている。保持部１５は、リング状の同型のカゴ体１６を２個軸線方向にボルト１６ｃで連結し、挿入体１３に固着して構成されている。カゴ体１６は、円周方向に仕切部１６ａによる相互間隔を置いて、等角度に外側へ広がる扇型の３つの保持空間１６ｂを有する。磁気摩擦部材１７は、保持空間１５ｂ内に嵌合する扇型平面形状を有する。磁気摩擦部材１７は、扇型の磁性板１７ａと磁石板１７ｂとを交互に重合固定して成る。磁性板１７ａは、磁石板１７ｂよりやや大きく、端縁が磁石板１７ｂの端から突出しており、磁石板１７ｂが直接ケース２の磁気吸着面に接触しないようになっている。
【００１５】
この実施形態の制振装置１１においては、第１の部材Ａと第２の部材Ｂとの間に、互いに接近、離反する方向の振動が生じるときに、挿入体１３がケース１２に対して軸線方向に相対的に変位するが、磁気摩擦部材１７がケース１２内周の磁気吸着板１４に吸着しているので、両者間に摩擦抵抗が生じ、振動エネルギが熱に変換されて減衰されることになる。
【００１６】
【発明の効果】
以上のように、本発明においては、相対的に直線方向に振動する第１及び第２の部材Ａ，Ｂ間に、その相対振動を抑制するために介設される制振装置において、第１及び第２の支持部材２，１２，３，１３の何れか一方を第１の部材Ａに、他方を第２の部材Ｂに夫々結合し、両者を振動に伴って相対変位可能に互いに係合し、第１又は第２の支持部材２，１２，３，１３の一方に磁気摩擦部材７，１７を保持するための保持部２ｂ，１５を設け、この保持部２ｂ，１５に支持部材３，１２の磁気吸着板４，１４に吸着できるように、移動自在に磁気摩擦部材７，１７を保持して磁気摩擦式制振装置１，１１を構成し、また、支持部材３，１２の磁気吸着板４，１４に強磁性部分と弱磁性部分とを設け、磁気摩擦部材７，１７と磁気吸着板４，１４との相対変位に伴い、磁気摩擦部材７，１７の磁気吸着面に対する吸着力、即ち振動抑制力を変化させるようにしたため、磁気摩擦を用いたコンパクトな制振装置構成することができ、振動に伴う変位の量に応じ制動力を比較的容易に、所望のとおりに変化させることができるという効果を有する。
【図面の簡単な説明】
【図１】制振装置の正面図である。
【図２】図１におけるII−II断面図である。
【図３】制振装置の分解斜視図である。
【図４】他の実施形態の制振装置の断面図である。
【図５】図４におけるV−V断面図である。
【図６】保持部と磁気摩擦部材の分解斜視図である。
【符号の説明】
１    制振装置
２    第１の支持部材（ケース）
２ｂ  開口（保持部）
３    第２の支持部材（挿入体）
４    磁気吸着板
７    磁気摩擦部材
Ａ    第１の部材
Ｂ    第２の部材
１１  制振装置
１２  第１の支持部材（ケース）
１３  第２の支持部材（挿入体）
１４  磁気吸着板
１５  保持部
１７  磁気摩擦部材
【図１】
0003727101.tif 000002
【図２】
0003727101.tif 000003
【図３】
0003727101.tif 000004
【図４】
0003727101.tif 000005
【図５】
0003727101.tif 000006
【図６】
0003727101.tif 000007